(57)【要約】  生地の噛み込み難さと、スライダーの摺動性を兼備したスライダーカバーの提供。  Ｙ字状の第１のエレメント案内通路（２ａ）を備えたスライダー胴体（２１）を含むスライダー（２）に装着される、スライドファスナーのスライダーカバー（３）であって、分離している一対のエレメント列を前記第１のエレメント案内通路内へ案内する一対の第２のエレメント案内通路を備え、上板と下板と連結柱は、前記スライダーの移動方向のうち噛合方向を向く面に、前記スライダーの移動方向のうち分離方向へ窪む凹面を備え、一対の前記第２のエレメント案内通路は、一対の内壁部における前記噛合方向の先端を、一対の外壁部における前記噛合方向の先端に対して、同じ位置か、それよりも前記噛合方向側に位置することを特徴とするスライドファスナーのスライダーカバー。
2016035125.tif 000002
【特許請求の範囲】
【請求項１】
上下方向に間隔をおいて対向する上翼板（２２）及び下翼板（２３）と、前記上翼板（２２）及び前記下翼板（２３）の前部同士を左右方向中間部において連結する案内柱（２４）と、前記上翼板（２２）及び前記下翼板（２３）及び前記案内柱（２４）により形成されたＹ字状の第１のエレメント案内通路（２ａ）とを備えたスライダー胴体（２１）を含むスライダー（２）に装着される、スライドファスナーのスライダーカバー（３）であって、  前記上翼板（２２）に装着する上板（４）と、  前記下翼板（２３）に装着する下板（５）と、  前記上板（４）及び前記下板（５）を上下に連結する連結柱（６）であってスライドファスナー（Ｆ）の一対のエレメント列（１２、１２）の噛合部側をそれぞれ案内する一対の内壁部（６１、６１）を含む前記連結柱（６）と、  一対の前記エレメント列（１２、１２）の噛合部側とは反対側をそれぞれ案内する一対の外壁部（７、７）であって前記上板（４）と前記下板（５）のうち少なくとも一方から前記上板（４）と前記下板（５）の間隔を狭めるように突出する一対の前記外壁部（７、７）と、  前記上板（４）と前記下板（５）と一対の前記外壁部（７、７）と一対の前記内壁部（６１、６１）との間に形成される一対の第２のエレメント案内通路（３ｃ、３ｃ）であって分離している一対の前記エレメント列（１２、１２）を前記第１のエレメント案内通路（２ａ）へ案内する一対の前記第２のエレメント案内通路（３ｃ、３ｃ）とを備え、  前記上板（４）と前記下板（５）と前記連結柱（６）は、前記スライダー（２）の移動方向のうち噛合方向を向く面に、前記スライダー（２）の移動方向のうち分離方向へ窪む凹面（３ｅ）を備え、  一対の前記第２のエレメント案内通路（３ｃ、３ｃ）は、一対の前記内壁部（６１、６１）における前記噛合方向の先端を、一対の前記外壁部（７、７）における前記噛合方向の先端に対して、同じ位置か、それよりも前記噛合方向側に位置することを特徴とするスライドファスナーのスライダーカバー。
【請求項２】
一対の前記第２のエレメント案内通路（３ｃ、３ｃ）は、対向する前記外壁部（７）と前記内壁部（６１）の間隔に関して、前記噛合方向の先部側を、前記分離方向側に対して幅狭にしてあることを特徴とする請求項１記載のスライドファスナーのスライダーカバー。
【請求項３】
上下方向に視て、前記外壁部（７）の内面形状は１本の直線形状であり、  前記内壁部（６１）の内面形状は、前記噛合方向側に配置される第１の直線部（６１ｂ１）と、前記分離方向側に配置される第２の直線部（６１ｂ２）とを含む屈曲形状であり、  前記第２の直線部（６１ｂ２）は、前記外壁部（７）の内面形状と平行な形状であり、  前記第１の直線部（６１ｂ１）は、前記外壁部（７）の内面形状に対して傾斜すると共に前記噛合方向の先部側へ向かうにつれて接近する形状であることを特徴とする請求項２記載のスライドファスナーのスライダーカバー。
【請求項４】
前記上板（４）と前記下板（５）とは別体であり、  前記連結柱（６）は、凹面（３ｅ）を形成する部分の凹壁部（６２）と、前記凹壁部（６２）よりも前記分離方向側において前記上板（４）と前記下板（５）を上下に連結する連結部（６４）を備え、  前記凹壁部（６２）は、前記凹面（３ｅ）の上側を構成する上凹壁部（６２ａ）であって前記上板（４）から下方に突出する前記上凹壁部（６２ａ）と、前記凹面（３ｅ）の下側を構成する下凹壁部（６２ｂ）であって前記下板（５）から上方に突出する前記下凹壁部（６２ｂ）とを備え、  前記上凹壁部（６２ａ）と前記下凹壁部（６２ｂ）は、上下に重なり合うと共に、互いの重なり合う面側に、第１の溝部（６２ｄ）と、前記第１の溝部（６２ｄ）に嵌合する第１の突部（６２ｃ）とを別々に備え、  前記第１の溝部（６２ｄ）と前記第１の突部（６２ｃ）は、前記連結部（６４）よりも前記噛合方向側に位置することを特徴とする請求項１〜３のいずれかに記載のスライドファスナーのスライダーカバー。
【請求項５】
前記上板（４）は、前記上翼板（２２）に装着する上装着部（４２）を備え、  前記上装着部（４２）は、前記上翼板（２２）の外周の一部を包囲する上包囲部（４３）と、前記上翼板（２２）の上面の少なくとも一部を覆う上被覆部（４４）とを備え、  前記上包囲部（４３）は、前記上板（４）を貫通する上孔（４ａ）の外側を構成することを特徴とする請求項１〜４のいずれかに記載のスライドファスナーのスライダーカバー。
【請求項６】
前記上翼板（２２）及び前記下翼板（２３）及び前記案内柱（２４）及び前記第１のエレメント案内通路（２ａ）の他に、前記上翼板（２２）の上面側に突出する引手取付部（２６）を備えた前記スライダー胴体（２１）を含む前記スライダー（２）に装着される、スライドファスナーのスライダーカバーであって、  前記上被覆部（４４）は、前記上板（４）における一対の前記第２のエレメント案内通路（３ｃ、３ｃ）側から前記上孔（４ａ）を狭めるように張り出す一対の上張出部（４５、４５）を備え、  一対の前記上張出部（４５、４５）の間隔は、前記上翼板（２２）の上面側の前記引手取付部（２６）を挟む寸法に設定してあることを特徴とする請求項５に記載のスライドファスナーのスライダーカバー。
【請求項７】
前記下板（５）は、前記下翼板（２３）に装着する下装着部（５２）を備え、  前記下装着部（５２）は、前記下翼板（２３）の外周の一部を包囲する下包囲部（５３）と、前記下翼板（２３）の下面の少なくとも一部を覆う下被覆部（５４）とを備え、  前記下包囲部（５３）は、前記下板（５）を貫通する下孔（５ａ）の外側を構成することを特徴とする請求項１〜６のいずれかに記載のスライドファスナーのスライダーカバー。
【請求項８】
前記上翼板（２２）及び前記下翼板（２３）及び前記案内柱（２４）及び前記第１のエレメント案内通路（２ａ）の他に、前記下翼板（２３）の下面側に突出する引手取付部（２７）を備えた前記スライダー胴体（２１）を含む前記スライダー（２）に装着される、スライドファスナーのスライダーカバーであって、  前記下被覆部（５４）は、一対の前記第２のエレメント案内通路（３ｃ、３ｃ）から前記下孔（５ａ）を狭めるように張り出す一対の下張出部（５５、５５）を備え、  一対の前記下張出部（５５、５５）の間隔は、前記下翼板（２３）の下面の前記引手取付部（２７）を挟む寸法に設定してあることを特徴とする請求項７に記載のスライドファスナーのスライダーカバー。
【請求項９】
前記上板（４）は、一対の前記エレメント列（１２、１２）の上面側を案内する一対の上案内部（４１、４１）と、一対の前記上案内部（４１、４１）を接合する上接合部（４０）と、一対の前記上案内部（４１、４１）及び前記上接合部（４０）と協同して形成されると共に前記上板（４）を前記上翼板（２２）に装着する上装着部（４２）とを備え、  前記上装着部（４２）は、一対の前記上案内部（４１、４１）及び前記上接合部（４０）の他に、一対の上案内部（４１、４１）から前記分離方向側へ突出すると共に前記上翼板（２２）を挟む一対の上脚部（４３ａ、４３ａ）を備え、  前記下板（５）は、一対の前記エレメント列（１２、１２）の下面側を案内する一対の下案内部（５１、５１）と、一対の前記下案内部（５１、５１）を接合する下接合部（５０）と、一対の前記下案内部（５１、５１）及び前記下接合部（５０）と協同して形成されると共に前記下板（５）を前記下翼板（２３）に装着する下装着部（５２）とを備え、  前記下装着部（５２）は、一対の前記下案内部（５１、５１）及び前記下接合部（５０）の他に、一対の前記下案内部（５１、５１）から前記分離方向側へ突出すると共に前記下翼板（２３）を挟む一対の下脚部（５３ａ、５３ａ）を備え、  一対の前記上脚部（４３ａ、４３ａ）及び一対の前記下脚部（５３ａ、５３ａ）は、各々の間に前記上翼板（２２）及び前記下翼板（２３）をスナップ式に装着する弾性を有することを特徴とする請求項１〜４のいずれかに記載のスライドファスナーのスライダーカバー。
【発明の詳細な説明】
【技術分野】
【０００１】  本発明は、スライドファスナーのスライダーに装着するスライダーカバーに関する。
【背景技術】
【０００２】  通常のスライドファスナーは、スライダーを前進させると、一対のエレメント列を噛合するようになっている。しかしながらスライダーの前進中に、スライダー胴体に生地が噛み込まれることがある。【０００３】  そこでスライダーの中には、スライダー胴体に生地を噛み込み難くすることを目的としたものが存在する。たとえば従来のスライダーの一例として、対向する表板及び裏板と、表板及び裏板を連結する中央部材と、表板及び裏板の左右から突出する側板とにより、スライダー胴体を形成し、スライダー胴体の噛合方向を向く面（前面）を凹面としたものが存在する（特許文献１）。このスライダーを噛合方向に移動させた場合に、一対のエレメント列の間（内側）に生地があったとしても、その生地はスライダーの移動に伴って凹面の底側に導かれ、最終的にスライダーの下を通過するようになる。このようにしてこのスライダーは、生地の噛み込みを防止するものである。【０００４】  また、スライダーではなく、スライダーに装着するスライダーカバーの一例として、上下に対向する上板及び下板と、上板及び下板を連結する連結柱とを備え、上板にはスライダーの上翼板を収容する収容部を備え、連結柱の左右には一対のエレメント通路を備えるものが存在する（特許文献２）。そしてエレメント通路の入口縁部において、上板及び下板の前面とエレメント通路の軸線（通路の延長方向）との角度を一定範囲に設定することによって、このスライダ―カバーは生地を噛み込み難くしてある。ちなみに特許文献２の図６、８では、上板と下板の前面が、特許文献１の表板とは逆の形状、つまり逆Ｖ字状の凸面になっている。従ってこのスライダーを噛合方向に移動させた場合に、スライダーカバーに対して噛合方向側に位置する生地は、スライダーの移動に伴って凸面に沿って移動し、スライダーカバーの左右に分けられることになる。このようにしてこのスライダーは、生地の噛み込みを防止するものである。
【先行技術文献】
【特許文献】
【０００５】
【特許文献１】特開２００５−１６０７８５号公報
【特許文献２】国際公開第２０１４／０３３９２６号
【発明の概要】
【発明が解決しようとする課題】
【０００６】  しかしながら特許文献１に記載されたスライダーでは、Ｖ字状等の凹面の両端が一対のエレメント列よりも外側に位置するようになっている。より詳しく言えば、凹面の左右を側板が形成しており、一対の側板は一対のエレメント列の外側を案内するようになっている。そうすると、例えば生地が一対のエレメント列の下側から一対のエレメント列の間を経て一対のエレメント列の上側に覆い被さっているような場合に、スライダーを噛合方向に移動させると、一対のエレメント列の外側に位置する生地がエレメント列とその外側の側板との間に導かれて、生地が噛み込まれるおそれがある。  またＶ字状等の凹面の左右端部は、スライダー胴体の左右端部を形成すると共に、鋭角に前方に張り出しているので、破損したり、その部分が人の肌に当たると怪我をする恐れがある。【０００７】  また特許文献２に記載されたスライダーカバーでは、スライダーの前面の先端に逆Ｖ字状の凸面の頂部が位置するようになっている。そうすると、例えば生地が一対のエレメント列の間にある場合に、スライダーを噛合方向に移動させると、各エレメント列の内側に位置する生地が、エレメント列とその内側の連結柱との間に導かれて、生地が噛み込まれるおそれがある。【０００８】  また生地の噛み込みではないが、噛合している一対のエレメント列を分離するために、一対のエレメント列を離れるように引っ張ったり、一方のエレメント列とスライダーの引手を摘まんでその一方のエレメント列を引っ張ったりすることがある。【０００９】  しかしながら特許文献１に記載されたスライダーでは、スライダーの噛合方向の先端を構成する部分が、スライダーの左右の側板であるので、一対のエレメント列を離れる方向に引くときに、一対のエレメント列が横方向に移動するのを左右の側板が阻止するように作用し、一対のエレメント列の分離性、つまりスライドファスナーを開くときのスライダーの摺動性（以下、「スライダーの摺動性」と言う。）を悪くする。【００１０】  本発明は上記実情を考慮して創作されたもので、その目的は生地の噛み込み難さと、スライダーの摺動性を兼ね備えたスライダーカバーを提供することである。
【課題を解決するための手段】
【００１１】  本発明のスライドファスナーのスライダーカバーは、上下方向に間隔をおいて対向する上翼板及び下翼板と、上翼板及び下翼板の前部同士を左右方向中間部において連結する案内柱と、上翼板及び下翼板及び案内柱により形成されたＹ字状の第１のエレメント案内通路とを備えたスライダー胴体を含むスライダーに装着されるものである。  そして本発明のスライダーカバーは、上翼板に装着する上板と、下翼板に装着する下板と、上板及び下板を上下に連結する連結柱であってスライドファスナーの一対のエレメント列の噛合部側をそれぞれ案内する一対の内壁部を含む連結柱と、一対のエレメント列の噛合部側とは反対側をそれぞれ案内する一対の外壁部であって上板と前記下板のうち少なくとも一方から上板と下板の間隔を狭めるように突出する一対の外壁部と、上板と下板と一対の外壁部と一対の内壁部との間に形成される一対の第２のエレメント案内通路であって分離している一対のエレメント列を第１のエレメント案内通路へ案内する一対の第２のエレメント案内通路とを備える。そして上板と下板と連結柱は、スライダーの移動方向のうち噛合方向を向く面に、スライダーの移動方向のうち分離方向へ窪む凹面を備えるものとする。また一対の第２の案内エレメント通路は、一対の内壁部における前記噛合方向の先端を、一対の外壁部における前記噛合方向の先端に対して、同じ位置か、それよりも前記噛合方向側に位置するものである。【００１２】  一対の第２のエレメント案内通路は、対向する外壁部と内壁部の間隔に関しては問わず、例えばその間隔を第２のエレメント案内通路自身の延長方向において一定にするものであっても良いが、生地を噛み込み難くしつつ各エレメントをスライダーに導き易くするには次のようにすることが望ましい。  すなわち、一対の第２のエレメント案内通路は、対向する外壁部と内壁部の間隔に関して、前記噛合方向の先部側を、前記分離方向側に対して幅狭にしてあることである。【００１３】  対向する外壁部と内壁部の間隔に関して、外壁部及び内壁部の形状は、次のものが望ましい。  すなわち、上下方向に視て、外壁部の内面形状は１本の直線形状であり、内壁部の内面形状は、前記噛合方向側に配置される第１の直線部と、前記分離方向側に配置される第２の直線部とを含む屈曲形状であり、第２の直線部は、外壁部の内面形状と平行な形状であり、第１の直線部は、外壁部の内面形状に対して傾斜すると共に前記噛合方向の先部側へ向かうにつれて接近する形状であることである。【００１４】  また上板と下板との連結強度を向上するには、次のようにすることが望ましい。  すなわち上板と下板とは別体であるものとする。そして連結柱は、凹面を形成する部分の凹壁部と、凹壁部よりも前記分離方向側において上板と下板を上下に連結する連結部を備えるものとする。また凹壁部は、凹面の上側を構成する上凹壁部であって上板から下方に突出する上凹壁部と、凹面の下側を構成する下凹壁部であって下板から上方に突出する下凹壁部とを備えるものとする。そして上凹壁部と下凹壁部は、上下に重なり合うと共に、互いの重なり合う面側に、第１の溝部と、第１の溝部に嵌合する第１の突部とを別々に備え、第１の溝部と第１の突部は、連��部よりも前記噛合方向側に位置することである。【００１５】  上板は、上翼板に装着するものであれば良いが、生地の噛み込みを防止する観点からは、一対の第２のエレメント案内通路がスライダーに対して所望の位置に配置されることが望ましく、それには次のようにすることが望ましい。  すなわち、上板は、上翼板に装着する上装着部を備え、上装着部は、上翼板の外周の一部を包囲する上包囲部と、上翼板の上面の少なくとも一部を覆う上被覆部とを備えるものとする。そして上包囲部は、上板を貫通する上孔の外側を構成することである。【００１６】  また一対の第２のエレメント案内通路がスライダーに対して所望の位置に配置されるようにするには、スライダーの形状を利用するようにして、次のようにすることが望ましい。  すなわち、この場合のスライダーは、上翼板及び下翼板及び案内柱及び第１のエレメント案内通路の他に、上翼板の上面側に突出する引手取付部を備えたスライダー胴体を含むものである。そしてこのスライダーに装着されるスライダーカバーは、上被覆部が、上板における一対の第２のエレメント案内通路側から上孔を狭めるように張り出す一対の上張出部を備えるものとする。そして一対の上張出部の間隔は、上翼板の上面側の引手取付部を挟む寸法に設定してあることである。【００１７】  下板は、下翼板に装着するものであれば良いが、生地の噛み込みを防止する観点からは、一対の第２のエレメント案内通路がスライダーに対して所望の位置に配置されることが望ましく、それには次のようにすることが望ましい。  すなわち、下板は、下翼板に装着する下装着部を備え、下装着部は、下翼板の外周の一部を包囲する下包囲部と、下翼板の下面の少なくとも一部を覆う下被覆部とを備えるものとする。そして下包囲部は、下板を貫通する下孔の外側を構成することである。【００１８】  また一対の第２のエレメント案内通路がスライダーに対して所望の位置に配置されるようにするには、スライダーの形状を利用するようにして、次のようにすることが望ましい。  すなわち、この場合のスライダーは、上翼板及び下翼板及び案内柱及び第１のエレメント案内通路の他に、下翼板の下面側に突出する引手取付部を備えたスライダー胴体を含むものである。そしてこのスライダーに装着されるスライダーカバーは、下被覆部が、一対の第２のエレメント案内通路から下孔を狭めるように張り出す一対の下張出部を備え、一対の下張出部の間隔は、下翼板の下面の引手取付部を挟む寸法に設定してあることである。【００１９】  さらに上板及び下板は、上翼板及び下翼板に対する装着作業を容易にするには次のようにすることが望ましい。  すなわち、上板は、一対のエレメント列の上面側を案内する一対の上案内部と、一対の上案内部を接合する上接合部と、一対の上案内部及び上接合部と協同して形成されると共に上板を上翼板に装着する上装着部とを備えるものとする。そして上装着部は、一対の上案内部及び上接合部の他に、一対の上案内部から前記分離方向側へ突出すると共に上翼板を挟む一対の上脚部を備えるものとする。下板は、一対のエレメント列の下面側を案内する一対の下案内部と、一対の下案内部を接合する下接合部と、一対の下案内部及び下接合部と協同して形成されると共に下板を下翼板に装着する下装着部とを備えるものとする。下装着部は、一対の下案内部及び下接合部の他に、一対の下案内部から前記分離方向側へ突出すると共に下翼板を挟む一対の下脚部を備えるものとする。そして一対の上脚部及び一対の下脚部は、各々の間に上翼板及び下翼板をスナップ式に装着する弾性を有することである。
【発明の効果】
【００２０】  本発明によれば、スライダーの移動方向のうち噛合方向を向く面にスライダーの移動方向のうち分離方向へ窪む凹面を備えるので、スライダーを噛合方向に移動させれば、一対のエレメント列の間に位置する生地が凹面に向かって移動することになり、その結果、生地が噛み込み難くなる。しかも本発明によれば、一対の内壁部における噛合方向の先端を、一対の外壁部における噛合方向の先端に対して、同じ位置か、それよりも噛合方向側に位置することにより、一対の外壁部が凹面の一部を形成しないようにしてあるので、一対の外壁部が凹面の一部を形成するものに比べて、生地が噛み込み難くなる。また本発明によれば、一対の内壁部における噛合方向の先端を、一対の外壁部における噛合方向の先端に対して分離方向側に位置してある場合に比べれば、エレメント列が固定された一対のテープを両側に引っ張ってファスナーを開く場合のスライダーの摺動性が良い。【００２１】  また一対の第２のエレメント案内通路における対向する外壁部と内壁部の間隔に関して、噛合方向の先部側を、分離方向側に対して幅狭にしてあるスライダーカバーであれば、生地を噛み込み難くしつつ、各エレメント列をスライダーに導き易くすることができる。【００２２】  さらに上板と下板を別体とし、連結柱が凹面を形成する部分の凹壁部と、上板及び下板を上下に連結する連結部とを備えるものとしたスライダーカバーであれば、凹壁部を構成する上凹壁部と下凹壁部に備わる第１の溝部と第１の突部を、連結部よりも噛合方向側に位置させているので、上板と下板を分解しようとして、上板と下板の分離方向側の端部から上板と下板を上下に離す力を加えても、第１の溝部の底面（噛合方向を向く面）と第１の突部とが接触していることから、上凹壁部と下凹壁部とは、離れ難くなり、その結果、上板と下板との連結強度が向上する。【００２３】  また上板が上装着部を備え、上装着部が上包囲部と上被覆部とを備えるスライダーカバーによれば、上被覆部によってスライダーに対する上方向の位置決めがなされ、一対の第２のエレメント案内通路がスライダーに対して所望の位置に配置され、生地の噛み込みを防止することができる。【００２４】  さらに上被覆部が一対の上張出部を備えるスライダーカバーによれば、上翼板の上面に引手取付部を備えるスライダーに装着する場合に、一対の上張出部の間隔によって引手取付部に対する位置決めがなされることから、一対のエレメント案内通路がスライダーに対して所望の位置に配置され、生地の噛み込みを防止することができる。【００２５】  また下板が下装着部を備え、下装着部が下包囲部と下被覆部とを備えるスライダーカバーによれば、下被覆部によってスライダーに対する下方向の位置決めがなされ、一対の第２のエレメント案内通路がスライダーに対して所望の位置に配置され、生地の噛み込みを防止することができる。【００２６】  さらに下被覆部が一対の下張出部を備えるスライダーカバーによれば、下翼板の下面に引手取付部を備えるスライダーに装着する場合に、一対の下張出部の間隔によって引手取付部に対する位置決めがなされることから、一対の第２のエレメント案内通路がスライダーに対して所望の位置に配置され、生地の���み込みを防止することができる。【００２７】  また上翼板を挟む一対の上脚部と、下翼板を挟む一対の下脚部とを備えるスライダーカバーによれば、一対の上脚部と一対の下脚部の弾性により、上翼板及び下翼板をスナップ式に装着することができるので、スライダーカバーの装着作業が容易になる。
【図面の簡単な説明】
【００２８】
【図１】本発明の第一実施形態のスライダーカバーが適用されたスライドファスナーを示す平面図である。
【図２】第一実施形態のスライダーカバーを分解して示す斜視図である。
【図３】第一実施形態のスライダーカバーの上部材を示す下面図である。
【図４】第一実施形態のスライダーカバーの下部材を示す平面図である。
【図５】第一実施形態のスライダーカバーの上部材を下面側から視た斜視図である。
【図６】第一実施形態のスライダーカバーをスライダーに装着した状態を示す斜視図である。
【図７】第一実施形態のスライダーカバーをスライダーに装着する前の状態を示す側面図である。
【図８】第一実施形態のスライダーカバーをスライダーに装着した状態を示す側面図である。
【図９】第一実施形態のスライダーカバーをスライダーに装着した片側断面図である。
【図１０】一対のエレメント列と第一実施形態のスライダーカバーが装着されたスライダーとの関係を示す図面である。
【図１１】本発明の第二実施形態のスライダーカバーを示す斜視図である。
【図１２】第二実施形態のスライダーカバーを分解して示す斜視図である。
【図１３】第二実施形態のスライダーカバーをスライダーに装着した状態を示す斜視図である。
【図１４】第二実施形態のスライダーカバーをスライダーに装着した状態を示す平面図である。
【図１５】第二実施形態のスライダーカバーをスライダーに装着する前の状態を示す平面図である。
【発明を実施するための形態】
【００２９】  本発明を適用するスライドファスナーＦは、図１に示すように、平行に延長する一対のファスナーストリンガー１、１と、一対のファスナーストリンガー１、１の対向する側縁部に沿って移動可能なスライダー２と、スライダー２に装着するスライダーカバー３と、一対のファスナーストリンガー１、１が延長する長手方向の両端部においてスライダー２の移動範囲を定める第１及び第２の止具８、９とを備える。
【００３０】  そしてスライダー２を前記長手方向のうち一方向へ移動させることによって、一対のファスナーストリンガー１、１を開くことができ、移動範囲の一方の限界位置に達すると、スライダー２が第１の止具８に衝突する。またスライダー２を前記長手方向のうち他方向へ移動させることによって、一対のファスナーストリンガー１、１を閉じることができ、移動範囲の他方の限界位置に達すると、スライダー２が第２の止具９に衝突する。
【００３１】  以後の方向性を説明するに際して、長手方向のことを前後方向とも言い、前方向とは、図１の上方向であって、スライダー２が一対のファスナーストリンガー１、１を閉じる方向であって、後方向とは、図１の下側であって、スライダー２が一対のファスナーストリンガー１、１を開く方向である。また一対のファスナーストリンガー１、１が閉じる場合、後述の一対のエレメント列１２、１２が噛合するので、前方向とは、噛合方向とも言う。また一対のファスナーストリンガー１、１が開く場合、一対のエレメント列１２、１２が分離するので、後方向とは、分離方向とも言う。また左右方向とは、長手方向（前後方向）と直交し且つ一対のファスナーストリンガー１、１を並べる方向のことであり、幅方向とも言う。左側とは、図１の左側であって、右側とは、図１の右側である。また一対のエレメント列１２、１２の対向面とは、一対のエレメント列１２、１２の噛合部側とも言い、左側のエレメント列１２であれば、右側面、右側のエレメント列１２であれば左側面である。また一対のエレメント列１２、１２の対向面とは反対面とは、一対のエレメント列１２、１２の噛合部側とは反対側とも言い、左側のエレメント列１２であれば左側面、右側のエレメント列１２であれば右側面である。さらに前後方向及び左右方向に直交する方向を上下方向（厚み方向）と言う。上側とは、図１の紙面に対して直交する方向、すなわち前後方向及び左右方向に直交する方向のうち手前側であって、下側とは、図１の紙面に対して直交する方向のうち奥側である。
【００３２】  一対のファスナーストリンガー１、１は、前後に延長すると共に左右に並べる一対のテープ１１、１１と、一対のテープ１１、１１における対向する左右の側縁部に沿って固定された一対のエレメント列１２、１２とを備えている。
【００３３】  各テープ１１は、前後に長い帯状であって、その厚み方向は上下方向である。
【００３４】  各エレメント列１２は、テープ１１の対向する側縁部に沿って前後に間隔をあけて固定された多数のエレメント１３によって形成される。なお本実施形態では各エレメント列１２は、モノフィラメントをコイル状にしたコイルエレメントによって形成されており、エレメント列１２の噛合部１２ａがテープ１１の幅方向の外側に、噛合部１２ａの反対側にあるエレメント列１２のコイル反転部１２ｂがテープ１１の幅方向の中央側に配置されるようにして、テープ１１の上面に縫着されている。なおコイルエレメントは多数のエレメント１３を連続させたものであり、本実施形態ではエレメント列１２はコイルエレメントを用いているが、これに限らずエレメント列１２は多数の独立したエレメントを一列に配置するものであっても良い。  一対のファスナーストリンガー１、１を閉じる為にスライダー２を前方へ移動させると、一対のエレメント列１２、１２のエレメント１３、１３同士が噛合し、スライダー２が第１の止具８に衝突することによって、スライダー２の更なる前方への移動が阻止される。また一対のファスナーストリンガー１、１を開く為にスライダー２を後方へ移動させると、一対のエレメント列１２、１２のエレメント１３、１３同士が左右に分離し、スライダー２が第２の止具９に衝突することによって、スライダー２の更なる後方への移動が阻止される。
【００３５】  スライダー２は、一対のエレメント列１２、１２に係合すると共に前後に移動可能なスライダー胴体２１と、スライダー胴体２１に対して連結される上側及び下側の引手２９、２９と、を備える。
【００３６】  スライダー胴体２１は、上下方向に間隔をおいて対向する上翼板２２及び下翼板２３と、上翼板２２及び下翼板２３の前部同士の対向する間を互いの左右方向中間部において連結する案内柱２４と、上翼板２２及び下翼板２３の少なくとも一方（本実施形態では両方）の左右端部から対向する上下間隔を狭める方向に突出するフランジ２５、２５、２５、２５と、上翼板２２の上面側に突出する引手取付部２６と、下翼板２３の下面側に突出する引手取付部２７とを備えている。
【００３７】  またスライダー胴体２１はその内部空間として、前後方向に貫通するＹ字状のエレメント案内通路２ａであって前側が二又に分岐したエレメント案内通路２ａと、エレメント案内通路２ａに連通すると共に左右に開口する一対のテープ溝２ｄ、２ｄが形成される。なおエレメント案内通路２ａの前側には２つの開口２ｂ、２ｂが形成されており、この開口２ｂを肩口と言い、エレメント案内通路２ａの後側には１つの開口２ｃが形成されており、この開口２ｃを後口と言う。なお、スライダー胴体２１のエレメント案内通路２aは第１のエレメント案内通路２aとも言う。第１のエレメント案内通路２ａには一対のエレメント列１２、１２が通され、各テープ溝２ｄには対応する側のテープ１１が通される。
【００３８】  またスライダー胴体２１は、一対の肩口２ｂ、２ｂを含む前面が円弧状に膨らむ形状になっており、一対の肩口２ｂ、２ｂ側に比べて後口２ｃ側を幅狭にする形状となっている。より詳しく言えばエレメント案内通路２aの形状に合わせて、上翼板２２及び下翼板２３の両側縁の形状も肩口２ｂ側が幅広く、後口２ｃ側が幅狭くなるように形成されている。すなわち、上翼板２２及び下翼板２３の両側縁のうち、肩口２ｂよりも後口２ｃ側には、幅方向の中央側に向けて窪んだ窪み部２２ａ、２３ａが形成されている。より詳しくは、上下の窪み部２２ａ、２３ａの形状は、前端から後方へ向かうにつれて徐々に幅方向内側に向かい、その後、前後方向に平行に延長する形状となっている。また、上翼板２２及び下翼板２３の両側縁に沿って突出する４つのフランジ２５の両側縁も、上翼板２２及び下翼板２３の両側縁の形状と一致するように窪んでおり、窪み部２２ａ、２３ａを形成する。
【００３９】  また図２、図７に示すようにスライダー胴体２１にはその一部として上側及び下側の引手取付部２６、２７が設けられる。上側の引手取付部２６は、上翼板２２の上面から上方に突出する突出部２６ａと、突出部２６ａの先部から後方に向けて屈曲した屈曲部２６ｂを備え、屈曲部２６ｂの先端はさらに下方に屈曲し、上翼板２２の方を向いている。一方、下側の引手取付部２７も同様に、下翼板２３の下面から下向に突出する突出部２７ａと、突出部２７ａから後方に向けて屈曲した屈曲部２７ｂを備え、屈曲部２７ｂの先端はさらに屈曲し、下翼板２３を向いている。上側及び下側の引手取付部２６、２７には左右方向に貫通する貫通穴２６ｈ、２７ｈが形成されている。そしてこの貫通穴２６ｈ、２７ｈに上側及び下側の引手２９、２９の一部を挿通することにより、各引手２９はスライダー胴体２１に連結される。
【００４０】  第１の止具８は図１に示すように、各テープ１１の前端部に固定されており、より詳しくはエレメント列１２よりも前方に間隔をおいて固定されている。また第１の止具８は、エレメント１３よりも上下方向の厚みが厚いもので、スライダー２の前面に衝突するようになっている。
【００４１】  第２の止具９は、２つのテープ１１、１１の後端部に固定されており、より詳しくは双方のエレメント列１２、１２よりも後方に間隔をおいて固定されている。また第２の止具９は、本実施形態では開離嵌挿具と称されるもので、２つのテープ１１、１１のうち一方に固定された蝶棒９ａと、他方に固定された箱９ｂとから構成される。箱９ｂは、蝶棒９ａの後部が挿入される蝶棒穴（図示略）を備える。この箱９ｂがエレメント１３よりも上下方向の厚みが厚く、スライダー２の後面に衝突するようになっている。
【００４２】  本発明の第一実施形態のスライダーカバー３は図１、図２に示すように、上下に配置される上部材３ａ及び下部材３ｂとから構成され、上部材３ａと下部材３ｂを互いの前部であって左右中央部において連結したものである。またスライダーカバー３は図２、図８、図９に示すように、上部材３ａと下部材３ｂの連結部分には連結柱６を備え、連結柱６の左右には分離した一対のエレメント列１２、１２を通す一対のエレメント案内通路３ｃ、３ｃを内部空間として備えると共に、連結柱６の後方にはスライダー２に装着する装着部３ｄを備えるものである。なお、スライダーカバー３のエレメント案内通路３ｃは第２のエレメント案内通路３ｃとも言う。
【００４３】  上部材３ａは図２、図３、図５に示すように、上板４を備えている。一方、下部材３ｂは図２、図４に示すように下板５を備えている。
【００４４】  上板４及び下板５は、左右の幅寸法及び前後寸法をスライダー２の幅寸法及び前後寸法よりも長く形成してある。また左右の幅寸法に関して、上板４及び下板５は、前側を後側に比べて長く形成してある。しかも上板４及び下板５は、左右対称形状であるので、左右側面の形状が後方へ向かうにつれて左右中央部に向かう形状となっている。またスライダーカバー３をスライダー２に装着した状態において、スライダー２に対する前後の突出長に関して、上板４及び下板５は、前側を後側に比べて長く形成してある（図１０参照）。
【００４５】  上板４は、一対のエレメント列１２、１２の上面側を案内する一対の上案内部４１、４１と、一対の上案内部４１、４１を幅方向に接合する上接合部４０と、一対の上案内部４１、４１及び上接合部４０と協同して形成されると共に上板４を上翼板２２に装着する上装着部４２の上部とを備えている。そして一対の上案内部４１、４１は上板４の主に前部の左右側部を構成し、上接合部４０は上板４の主に前部の左右中間部を構成し、上装着部４２の上部は上板４の後部を構成する。
【００４６】  そして上部材３ａは、上板４の他に、一対のエレメント列１２、１２の噛合部側とは反対側（幅方向の外側）を案内する一対の上外壁部７ａ、７ａと、連結柱６の上部を構成する上柱６ａと、スライダー２の上側の一対のフランジ２５、２５の幅方向外側を覆う一対の上外壁延長部７ａ１とを備える。一対の上外壁部７ａ、７ａは上板４の左右端部（一対の上案内部４１、４１の幅方向の両外側端部）から下方に突出し、上柱６ａは上接合部４０から下方に突出する。また一対の上外壁延長部７ａ１は、上装着部４２の下部であり、一対の上外壁部７ａ、７ａの幅方向の両外側端部から後方に延長する。
【００４７】  下板５は、一対のエレメント列１２、１２の下面側（より詳しくは、本実施形態では、一対のエレメント列１２、１２の下方に配置された一対のテープ１１、１１の下面側）を案内する一対の下案内部５１、５１と、一対の下案内部５１、５１を幅方向に接合する下接合部５０と、一対の下案内部５１、５１及び下接合部５０と協同して形成されると共に下板５を下翼板２３に装着する下装着部５２の下部とを備えている。そして一対の下案内部５１、５１は下板５の主に前部の左右側部を構成し、下接合部５０は下板５の主に前部の左右中間部を構成し、下装着部５２の下部は下板５の後部を構成する。
【００４８】  そして下部材３ｂは、下板５の他に、一対のエレメント列１２、１２の噛合部側とは反対側（幅方向の外側）を案内する一対の下外壁部７ｂ、７ｂと、連結柱６の下部を構成する下柱６ｂと、スライダー２の下側の一対のフランジ２５、２５の幅方向外側を覆う一対の下外壁延長部７ｂ１、７ｂ１とを備える。一対の下外壁部７ｂ、７ｂは下板５の左右端部（一対の下案内部５１、５１の幅方向の両外側端部）から上方に突出し、下柱６ｂは下接合部５０から上方に突出する。また一対の下外壁延長部７ｂ１、７ｂ１は下装着部５２の上部であり、一対の下外壁部７ｂ、７ｂの幅方向の両外側端部から後方に延長する。
【００４９】  前記した上外壁部７ａと下外壁部７ｂとは、スライダーカバー３の左右において、上下に隙間をあけて対向しており、対向する上外壁部７ａと下外壁部７ｂとによって外壁部７が形成される。また外壁部７は、上外壁部７ａの下面と下外壁部７ｂの上面の間には、テープ１１が通過する隙間が形成される。
【００５０】  各外壁部７の内面は、各エレメント列１２の噛合部側とは反対側を案内する。図４に示すように、下板５の上面側を上下方向に視ると、各下外壁部７ｂの内面形状（幅方向の内側形状）は、後方へ向かうにつれて幅方向内側に向かう１本の傾斜した直線形状となっている。また図３に示すように、上板４の下面側を上下方向に視ると、各上外壁部７ａの内面形状は、下外壁部７ｂと上下対称形状となっている。従って上下方向に視て、各外壁部７の内面形状は１本の直線形状となっている。
【００５１】  前記した上柱６ａと下柱６ｂとが連結することによって連結柱６が形成される。連結柱６は、上板４の上接合部４０と下板５の下接合部５０との間に架設され、それによって上部材３ａと下部材３ｂは一体化される。また上柱６ａと下柱６ｂとは前後左右において上下に隙間なく重なり合っている。連結柱６の左右側部は、一対のエレメント列１２、１２の噛合部側（幅方向の内側）をそれぞれ案内する一対の内壁部６１、６１である。そして一対の内壁部６１、６１は、上柱６ａの左右側部を構成する一対の上内壁部６１ａ、６１ａと、下柱６ｂの左右側部を構成する一対の下内壁部６１ｂ、６１ｂによって形成される。
【００５２】  各内壁部６１は、その内面（幅方向の外側面）により、エレメント列１２を案内する。そして図４に示すように、下板５の上面側を上下方向に視ると、下内壁部６１ｂの内面形状（幅方向の外側形状）は、全体的には後方へ向かうにつれて幅方向内側に向かう形状であり、下外壁部７ｂの内面形状に対して、前側（噛合方向の先部側）を、後側（分離方向側）に対して接近させた形状としてある。より詳しく言えば、上下方向に視て、下内壁部６１ｂの内面形状は、前側（噛合方向側）に配置される第１の直線部６１ｂ１と、後側（分離方向側）に配置される第２の直線部６１ｂ２と、第１及び第２の直線部６１ｂ１、６１ｂ２を滑らかに接続する円弧状の曲線部６１ｂ３と含む屈曲形状である。そして図４に示すように第１の直線部６１ｂ１は、傾斜している下外壁部７ｂの内面形状に比べて、水平になっており（後方へ向かうにつれて一段と幅方向内側に向かうように傾斜しており）、第２の直線部６１ｂ２は下外壁部７ｂの内面形状と平行な形状としてある。それゆえ下内壁部６１ｂの内面形状と下外壁部７ｂの内面形状との間隔Ｗ１に関して、前側（噛合方向の先部側）は、後側に対して幅狭に形成されている。なおここでの「間隔」とは、上下方向に視て、下外壁部７ｂの内面形状の延長方向に対して直交する方向の間隔である。また図３に示すように、上板４の下面側を上下方向に視ると、上外壁部７ａの内面形状は、下外壁部７ｂの内面形状と上下対称形状となっている。従って各第２のエレメント案内通路３ｃは、対向する外壁部７と内壁部６１の間隔Ｗ１に関して、前側（噛合方向の先部側）を、後側（分離方向側）に対して幅狭にしてある。
【００５３】  また各内壁部６１の前端（噛合方向の先端）は、外壁部７の前端よりも前側に位置するものとなっている。従って各第２のエレメント案内通路３ｃの前側は、幅方向外側に向かって開口する形状となっている。
【００５４】  一対のエレメント案内通路３ｃ、３ｃは、一対の上案内部４１、４１と、一対の下案内部５１、５１と、一対の内壁部６１、６１と、一対の外壁部７、７とによって囲まれた内部空間である。そして一対のエレメント案内通路３ｃ、３ｃは、スライダー２が噛合方向へ移動する場合は、分離している一対のエレメント列１２、１２をスライダー２へ案内し、スライダー２が分離方向へ移動する場合は、スライダー２において分離した一対のエレメント列１２、１２をそのまま分離する方向へ案内する。
【００５５】  連結柱６は、前記したように、上柱６ａと下柱６ｂとを備えている。そして上柱６ａと下柱６ｂとが一体化することによって、連結柱６は、その左右側面を構成する一対の内壁部６１、６１と、その前面を構成する前壁部６２と、その後面を構成する後壁部６３と、その前後左右の中央部を構成する連結部６４とを形成する。
【００５６】  連結部６４は、その上側を構成する上連結部６５と、その下側を構成する下連結部６６とを備える。  上連結部６５は、上板４の左右中央部であって且つ前部（一対の上案内部４１、４１を接合する上接合部４０）において上下に貫通して形成された連結孔６５ａと、連結孔６５ａの下部の左右からその幅方向の間隔を狭める方向に突出する左右の係止片６５ｂ、６５ｂとから構成される。連結孔６５ａは、上下方向から視て矩形状となっている。また各係止片６５ｂは、上面が水平面で、下面が幅方向外側へ向かうにつれて下方へ向かう斜面となっている。  下連結部６６は下板５の下接合部５０から上方に突出するもので、図２、図４、図９に示すように、一対の下内壁部６１ｂ、６１ｂの間に架設するベース６６ａと、ベース６６ａから幅方向に離れて上方に突出する一対の係止柱６６ｂ、６６ｂから構成される。ベース６６ａの上面は、一対の下内壁部６１ｂ、６１ｂの上面と高さを揃えてある。また各係止柱６６ｂは、その上下方向の中間部には、対応する側の係止片６５ｂに嵌合する被係止片６６ｃを備えている。そして左右の係止柱６６ｂ、６６ｂを連結孔６５ａの下方から差し込むと、各係止柱６６ｂの被係止片６６ｃと係止片６５ｂとが嵌合し、上連結部６５と下連結部６６とが連結する。
【００５７】  上板４と下板５と、連結柱６の前壁部６２とは、その前面（スライダー２の移動方向のうち噛合方向を向く面）に、後方（スライダー２の移動方向のうち分離方向）へ窪む凹面３ｅを備えている。凹面３ｅは、連結柱６の一対の内壁部６１、６１の前端（噛合方向の先端）よりも後側へ窪んだ底面と、一対の内壁部６１、６１の幅方向に対向する一対の側面とを備える。また凹面３ｅの底面、両側面は上下方向に連続する鉛直面でもある。また凹面３ｅの一対の側面は、凹面３ｅの底面の幅方向両側から延設されている。より詳しく言えば凹面３ｅの一対の側面は、入口側である前端（内壁部６１、６１の先端）から、奥側である後端に向かって徐々に幅方向の内側へ向かう斜面となっている。したがって凹面３ｅの幅方向の寸法Ｗ２は後方（分離方向）へ向かうにつれて徐々に狭くなっている。また、図１０に示すとおり、凹面３ｅの最大幅寸法は、スライダー２の最大幅寸法と同じか、それ以上に形成されているので生地を誘い込むのに好適である。  しかも凹面３ｅの底面（前面）は、幅方向に平行な面となっており、その位置は、外壁部７、７の前端よりも前側であり、一対の内壁部６１、６１の前端よりも後側である。また外壁部７、７の前端は、連結柱６の後壁部６３よりも前側に位置している。このような構成とすることで、スライダーカバー３はその前端から凹面３ｅの底面までの寸法を短くすることができる。本実施形態では、前壁部６２の前面と上板４（上接合部４０）の前面と下板５（下接合部５０）の前面、すなわちスライダーカバー３の前面によって凹面３ｅを形成していることから、この凹面３ｅを形成する部分のうち連結柱６の部分（前壁部６２）を、以後、凹壁部６２と称する。凹壁部６２は、その上側を構成する上凹壁部６２ａと、その下側を構成する下凹壁部６２ｂとを備える。
【００５８】  上凹壁部６２ａは、一対の上内壁部６１ａ、６１ａの前端部の間に架設する上凹壁本体６２ａ１を備え、上凹壁本体６２ａ１の下面を一対の上内壁部６１ａ、６１ａの下面に揃えてある。一方、下凹壁部６２ｂは、ベース６６ａの前側において一対の下内壁部６１ｂ、６１ｂの間に架設する下凹壁本体６２ｂ１を備え、下凹壁本体６２ｂ１の上面を一対の下内壁部６１ｂ、６１ｂの上面に揃えてある。また上凹壁部６２ａの下面と下凹壁部６２ｂの上面とは、重なり合うものであり、下凹壁部６２ｂと上凹壁部６２ａとに、上下方向に嵌合する第１の突部６２ｃと第１の溝部６２ｄを別々に備えている。より詳しくは、上凹壁部６２ａは、上凹壁本体６２ａ１の他に、２つの第１の突部６２ｃを備えている。２つの第１の突部６２ｃは、上凹壁本体６２ａ１の下面から下方に突出すると共に、左右に間隔をあけて形成されている。しかも２つの第１の突部６２ｃは、その幅方向の外端が、下板５に形成された連結孔６５ａの幅方向の両端よりも外側に位置し、その幅方向の内端が連結孔６５ａの幅方向の両端よりも内側に位置するようになっている。一方、下凹壁部６２ｂは、下凹壁本体６２ｂ１の他に、後方（分離方向）へ窪む２つの第１の溝部６２ｄを備えている。２つの第１の溝部６２ｄは、下凹壁本体６２ｂ１の上面から下方に窪むもので、下凹壁本体６２ｂ１の前面の左右に間隔をあけて形成されている。なお第１の溝部６２ｄの後方は、下凹壁部６２ｂの後側に位置するベース６６ａによって塞がれている。
【００５９】  後壁部６３は、その上側を構成する上後壁部６３ａと、その下側を構成する下後壁部６３ｂとを備えている。上後壁部６３ａは、一対の上内壁部６１ａ、６１ａの後端部の間に架設する上後壁本体６３ａ１を備え、上後壁本体６３ａ１の下面を一対の上内壁部６１ａ、６１ａの下面に揃えてある。一方、下後壁部６３ｂは、ベース６６ａの前側において一対の下内壁部６１ｂ、６１ｂの間に架設する下後壁本体６３ｂ１を備え、下後壁本体６３ｂ１の上面を一対の下内壁部６１ｂ、６１ｂの上面に揃えてある。また上後壁部６３ａの下面と下後壁部６３ｂの上面とは、重なり合うものであり、下後壁部６３ｂと上後壁部６３ａとに、上下方向に嵌合する第２の突部６３ｃと第２の溝部６３ｄを別々に備えている。より詳しくは、上後壁部６３ａは、上後壁本体６３ａ１の他に、１つの第２の突部６３ｃを備えている。第１の突部６２ｃは、上後壁本体６３ａ１の下面から下方に突出している。下後壁部６３ｂは、下後壁本体６３ｂ１の他に、後方（分離方向）へ窪む１つの第２の溝部６３ｄを備えている。第２の溝部６３ｄは、下後壁本体６３ｂ１の上面から下方に窪むもので、下後壁本体６３ｂ１の後面に形成されている。なお第２の溝部６３ｄの前方は、下後壁部６３ｂの前側に位置するベース６６ａによって塞がれている。このような後壁部６３（連結柱６）の後方には、前述したようにスライダー２に装着する装着部３ｄが備わっている。
【００６０】  装着部３ｄは、スライダー胴体２１を収容するもので、スライダーカバー３を上翼板２２に装着する上装着部４２と、スライダーカバー３を下翼板２３に装着する下装着部５２とから構成される。上装着部４２と下装着部５２は上下対称的な構成である。
【００６１】  下装着部５２は、下翼板２３の外周及び下側の一対のフランジ２５の外周を包囲する下包囲部５３と、下包囲部５３から張り出すと共に下翼板２３の下面を覆う下被覆部５４とを備えている。
【００６２】  下包囲部５３は、下翼板２３の外周の一部（後部以外）及び下側の一対のフランジ２５の外周（幅方向の外側）を包囲する部分である。そして下包囲部５３は、下板５に形成された下孔５ａの外側を構成する部分（以下、「下孔構成部」と言う。）と、下孔構成部の幅方向の両側から上方に突出すると共に一対の下外壁部７ｂ、７ｂから後方に突出する一対の下外壁延長部７ｂ１、７ｂ１とを備えている。
【００６３】  一対の下外壁延長部７ｂ１、７ｂ１は、下装着部５２の上部（下包囲部５３の上部）を構成するものであり、下側の一対のフランジ２５，２５の外周（幅方向の外側）を包囲するものである。
【００６４】  下孔構成部と、その下側の下被覆部５４とは、協同して下装着部５２の下部（下包囲部５３の下部を含む。）を構成するものである。また下孔構成部は、下板５の一部であって、下翼板２３の外周の一部（後部以外）を包囲するもので、一対の下案内部５１、５１の後端部と、下接合部５０の後端部と、一対の下案内部５１、５１の幅方向の両外側端部から後方に延長する一対の下脚部５３ａ、５３ａとから構成される。なお一対の下脚部５３ａ、５３ａと、その上側に突出する一対の下外壁延長部７ｂ１、７ｂ１とは、上下方向から視て同一形状をしている。
【００６５】  そして下孔構成部の内面を形成する下孔５ａは、連結柱６よりも後側において下板５の幅方向の中央部に上下方向に貫通するようにして形成されている。また下孔５ａの形状（下孔構成部の内面形状）は図面上では、上部と下部とで相違しているが、上部の形状を基本的形状としている。したがって以後、下孔５ａの形状と言う場合は、下孔５ａの上部の形状についてのことである。下孔５ａの形状は、下翼板２３の輪郭（外周）とほぼ同じ輪郭を呈し、下翼板２３の輪郭よりも僅かに大きくなっている。より詳しくは下孔５ａの形状は、その前部については、下翼板２３の前面の円弧形状とほぼ同じ円弧形状をしている。ただしその前部の幅方向の両端は、スライダー２の一対の肩口２ｂ、２ｂの後端（下側の一対のフランジ２５、２５の前端）に相当する部分よりも後側に位置し、下側の一対のフランジ２５、２５の幅方向両端よりも、幅方向の外側に位置するものとなっている。そして下孔５ａの形状は、その後部については、前部の幅方向の両端から後方へ向かうにつれて徐々に幅方向内側に向かうように傾斜し、さらに前後方向に平行に延長するようになっている。つまり下孔５ａの後方は開口している。そして下孔５ａの後部の開口幅は、下翼板２３の後部の幅寸法とほぼ同じになっている。したがって下孔５ａは、下翼板２３の外周のうち後面以外を包囲するものであり、後方に開口するＣ字状になっていると共に、下翼板２３の後部を幅方向に挟むものである。言い換えれば一対の下脚部５３ａ、５３ａの間は、後方に開口しており、一対の下脚部５３ａ、５３ａの幅方向の間隔は前部に比べて後部が狭くなっており、一対の下脚部５３ａ、５３ａの後部の間に下翼板２３の後部（一対の窪み部２３ａ、２３ａ）を挟むものである。また一対の下外壁延長部７ｂ１、７ｂ１の間も、後方に開口しており、一対の下外壁延長部７ｂ１、７ｂ１の後部の間に下側の一対のフランジ２５、２５を挟むものである。なお一対の下脚部５３ａ、５３ａの後部における幅方向の間隔及び一対の下外壁延長部７ｂ１、７ｂ１の後部における幅方向の間隔は、スライダー２（下翼板２３）の幅方向の最大寸法よりも狭くなっている。
【００６６】  また下孔５ａの下部から下被覆部５４が下孔５ａを狭めると共に後方の開口を塞ぐように突出している。下被覆部５４は、一対の下案内部５１、５１から下孔５ａを狭めるように張り出す一対の下張出部５５、５５と、下孔５ａの後方の開口を塞ぐように張り出す下桟部５６を備えている。より詳しくは、一対の下張出部５５、５５は、一対の下案内部５１、５１の後面下部と下接合部５０の後面下部から幅方向に間隔をあけたまま後方へ張り出すものである。一対の下張出部５５、５５の幅方向の間隔は、下翼板２３の下面側に突出する引手取付部２７（突出部２７ａ）を挟む寸法に設定してある。各下張出部５５は、その幅方向の内面は、前後方向に延長する平面であり、その後面は幅方向に延長する平面である。また各下張出部５５の形状は、その幅方向の内面の前端と後面の幅方向外端とを円弧状に膨らむように結んだ略三角形状である。
【００６７】  また、下桟部５６は一対の下脚部５３ａ、５３ａの下部の後部間において幅方向に架設されている。したがって下板５は、上下方向に視て、下孔５ａの後方を下桟部５６によって塞ぐようになっている。そして下桟部５６は、下側の引手取付部２７（屈曲部２７ｂの後端）の後方において、下翼板２３の後端部の下方を幅方向に跨って覆ってある。また下桟部５６の下面に下側の引手２９が載るようになっている。
【００６８】  上装着部４２は、下装着部５２と上下対称的な構成であり、下装着部５２を構成する各部の名称のうち、「下」を「上」に、「上」を「下」に置換した各部によって構成される。つまり上装着部４２は、上翼板２２の外周の一部及び上側の一対のフランジ２５の外周を包囲する上包囲部４３と、上包囲部４３から張り出すと共に上翼板２２の上面を覆う上被覆部４４とを備えている。
【００６９】  上包囲部４３は、上翼板２２の外周の一部（後部以外）及び上側の一対のフランジ２５の外周（幅方向の外側）を包囲する部分である。そして上包囲部４３は、上板４に形成された上孔４ａの外側を構成する部分（以下、「上孔構成部」と言う。）と、上孔構成部の幅方向の両側から下方に突出すると共に一対の上外壁部７ａ、７ａから後方に突出する一対の上外壁延長部７ａ１、７ａ１とを備えている。
【００７０】  一対の上外壁延長部７ａ１、７ａ１は、上装着部４２の下部（上包囲部４３の下部）を構成するものであり、上側の一対のフランジ２５，２５の外周（幅方向の外側）を包囲するものである。
【００７１】  上孔構成部と、その上側の上被覆部４４とは、協同して上装着部４２の上部（上包囲部４３の上部を含む。）を構成するものである。また上孔構成部は、上板４の一部であって、上翼板２２の外周の一部（後部以外）を包囲するもので、一対の上案内部４１、４１の後端部と、上接合部４０の後端部と、一対の上案内部４１、４１の幅方向の両外側端部から後方に延長する一対の上脚部４３ａ、４３ａとから構成される。なお一対の上脚部４３ａ、４３ａと、その下側に突出する一対の上外壁延長部７ａ１、７ａ１とは、上下方向から視て同一形状をしている。なお一対の上脚部４３ａ、４３ａの後部における幅方向の間隔及び一対の上外壁延長部７ａ１、７ａ１の後部における幅方向の間隔は、スライダー２（上翼板２２）の幅方向の最大寸法よりも狭くなっている。
【００７２】  そして上孔構成部の内面を形成する上孔４ａは、連結柱６よりも後側において上板４の幅方向の中央部に上下方向に貫通するようにして形成されている。また上孔４ａの形状（上孔構成部の内面形状）は図面上では、上部と下部とで相違しているが、下部の形状を基本的形状としている。したがって以後、上孔４ａの形状と言う場合は、上孔４ａの下部の形状についてのことである。上孔４ａの形状は、上翼板２２の輪郭（外周）とほぼ同じ輪郭を呈し、上翼板２２の輪郭よりも僅かに大きくなっている。より詳しくは上孔４ａの形状は、その前部については、上翼板２２の前面の円弧形状とほぼ同じ円弧形状をしている。ただしその前部の幅方向の両端は、スライダー２の一対の肩口２ｂ、２ｂの後端（上側の一対のフランジ２５、２５の前端）に相当する部分よりも後側に位置し、上側の一対のフランジ２５、２５の幅方向両端よりも、幅方向の外側に位置するものとなっている。そして上孔４ａの形状は、その後部については、前部の幅方向の両端から後方へ向かうにつれて徐々に幅方向内側に向かうように傾斜し、さらに前後方向に平行に延長するようになっている。つまり上孔４ａの後方は開口している。そして上孔４ａの後部の開口幅は、上翼板２２の後部の幅寸法とほぼ同じになっている。したがって上孔４ａは、上翼板２２の外周のうち後面以外を包囲するものであり、後方に開口するＣ字状になっていると共に、上翼板２２の後部を幅方向に挟むものである。言い換えれば一対の上脚部４３ａ、４３ａの間は、後方に開口しており、一対の上脚部４３ａ、４３ａの幅方向の間隔は前部に比べて後部が狭くなっており、一対の上脚部４３ａ、４３ａの後部の間に上翼板２２の後部（一対の窪み部２２ａ、２２ａ）を挟むものである。また一対の上外壁延長部７ａ１、７ａ１の間も、後方に開口しており、一対の上外壁延長部７ａ１、７ａ１の後部の間に下側の一対のフランジ２５、２５を挟むものである。
【００７３】  また上孔４ａの上部から上被覆部４４が上孔４ａを狭めると共に後方の開口を塞ぐように突出している。上被覆部４４は、一対の上案内部４１、４１から上孔４ａを狭めるように張り出す一対の上張出部４５、４５と、上孔４ａの後方を塞ぐように張り出す上桟部４６を備えている。より詳しくは、一対の上張出部４５、４５は、一対の上案内部４１、４１の後面上部と上接合部４０の後面上部から幅方向に間隔をあけたまま後方へ張り出すものである。一対の上張出部４５、４５の幅方向の間隔は、上翼板２２の上面側に突出する引手取付部２６（突出部２６ａ）を挟む寸法に設定してある。各上張出部４５は、その幅方向の内面は、前後方向に延長する平面であり、その後面は幅方向に延長する平面である。また各上張出部４５の形状は、その幅方向の内面の前端と後面の幅方向外端とを円弧状に膨らむように結んだ略三角形状である。
【００７４】  また、上桟部４６は一対の上脚部４３ａ、４３ａの上部の後部間において幅方向に架設されている。したがって上板４は、上下方向に視て、上孔４ａの後方を下桟部５６によって塞ぐようになっている。そして上桟部４６は、上側の引手取付部２６（屈曲部２６ｂの後端）の後方において、上翼板２２の後端部の上方を幅方向に跨って覆ってある。また上桟部４６の上面に上側の引手２６が載るようになっている。
【００７５】  上記した第一実施形態のスライダーカバー３は、図７に示すように、スライダー２の上下に上部材３ａと下部材３ｂをそれぞれ配置し、上部材３ａの上柱６ａと下柱６ｂを連結することによって一体化される。また連結柱６は、連結部６４によって連結されるだけでなく、連結部６４の前側に位置する第１の溝部６２ｄと第１の突部６２ｃと、連結部６４の後側に位置する第２の溝部６３ｄと第２の突部６３ｃとを備えている。そして第１及び第２の溝部６２ｄ、６３ｄの底側がベース６６ａによって塞がれていることから、上板４と下板５を分解しようとして、上板４と下板５の後側（分離方向側）の端部から上板４と下板５を上下に離す力を加えても、各溝部６２ｄ、６３ｄの底面（噛合方向を向く面）と各突部６２ｃ、６３ｃとが接触していることから、上凹壁部６２ａと下凹壁部６２ｂとは、離れ難くなり、その結果、上板４と下板５との連結強度が向上する。
【００７６】  また連結されたスライダーカバー３の中にはスライダー２が収容され、上装着部４２に上板４が装着され、下装着部５２に下板５が装着される。より詳しくは、スライダーカバー３の上包囲部４３に上翼板２２が収容され、下包囲部５３に下翼板２３が収容される。そして上翼板２２の上面が上被覆部４４と上桟部４６によって覆われ、下翼板２３の下面が下被覆部５４と下桟部５６によって覆われ、スライダー胴体２１が上下に挟まれた状態になる。また上包囲部４３と下包囲部５３により、上翼板２２と下翼板２３とは、互いの後方以外が覆われ、上翼板２２と下翼板２３の前面と後部の左右側面が、上包囲部４３と下包囲部５３に接した状態になる。また上翼板２２及び上側の一対のフランジ２５、２５の窪み部２２ａは、一対の上脚部４３ａ、４３ａ及び上側の一対の上外壁延長部７ａ１、７ａ１によって挟まれ、下翼板２３及び下側の一対のフランジ２５、２５の窪み部２３ａは、一対の下脚部５３ａ、５３ａ及び下側の一対の下外壁延長部７ｂ１、７ｂ１によって挟まれる。しかも一対の上張出部４５、４５の間に上側の引手取付部２６の一部（突出部２６ａ）が挟まれ、一対の下張出部５５、５５の間に下側の引手取付部２７の一部（突出部２７ａ）が挟まれ、スライダー２に対するスライダーカバー３の位置決めがなされる。位置決めされることによって、一対の肩口２ｂ、２ｂと一対の第２のエレメント案内通路３ｃ、３ｃの位置が定まり、一対のエレメント列１２、１２をスライダー２のエレメント案内通路２ａに案内し易くなる。この実施形態では図１０に示すように、スライダー２の案内柱２４の左右端よりも外側に、一対の内壁部６１、６１（一対の下内壁部６１ｂ、６１ｂ）の内面の後端が位置することになり、また、スライダー２の下側の一対のフランジ２５、２５の前端よりも上側に、一対の外壁部７、７（下外壁部７ｂ）の内面の後端が位置することになり、これによって一対のエレメント列１２、１２をスライダー２へ案内し易くしてある。
【００７７】  また各第２のエレメント案内通路３ｃにおける対向する外壁部７と内壁部６１の間隔に関して、噛合方向の先部側を、分離方向側に対して幅狭にしてあるので、スライドファスナーＦの周辺の生地を噛み込み難くしつつ、各エレメント列１２をスライダー２に導き易くすることができる。
【００７８】  さらに連結柱６は、前面に後方へ窪む凹面３ｅを備えるので、スライダー２を噛合方向に移動させれば、一対のエレメント列１２、１２の間に生地がある場合に、その生地は凹面３ｅに向かって移動することになり、その結果、生地が噛み込み難くなる。しかも一対の内壁部６１、６１の内面における噛合方向の先端を、一対の外壁部７、７の内面における噛合方向の先端に対して、同じ位置か、それよりも噛合方向側に位置してあるので、一対のテープ１１、１１を幅方向の両側に引っ張ってスライドファスナーＦを開く場合のスライダー２の摺動性が良い。しかも一対の外壁部７、７は、凹面３ｅを形成しておらず、一対の上案内部４１、４１の前面及び一対の下案内部５１、５１の後面は左右方向に平行に形成されているので、破損しづらく、怪我しづらい。
【００７９】  本発明の第二実施形態のスライダーカバー３は、図１１〜図１５に示すように、上装着部４２及び下装着部５２の形状について、第１実施形態と相違する。
【００８０】  第二実施形態では、上装着部４２を構成する上孔４ａは、その下部（上翼板２２の外周のうち後部以外を覆う部分及び上側の一対のフランジ２５、２５の幅方向の外側を覆う部分）だけでなく、その上部においても塞がれることなく後方に開口している。したがって第二実施形態では、第一実施形態の上桟部４６が存在しない。ただし第二実施形態では、上被覆部４４は、一対の上張出部４５、４５と、上翼板２２の上面の後端部の左右を覆う一対の上凸部４７、４７を備えている。一対の上凸部４７、４７は、後方に開口する一対の上脚部４３ａ、４３ａの上部の後部から幅方向内側に突出している。そして一対の上凸部４７、４７は、幅方向に離れている。したがって上板４は、上下方向に視て、上孔４ａを後方（分離方向）に開口する上開口部４８を備えている。そしてこの上開口部４８により、一対の上脚部４３ａ、４３ａと、その下側の一対の上外壁延長部７ａ１、７ａ１は、互いの後部においては幅方向に分離した状態になっている。
【００８１】  また下装着部５２は、上装着部４２と上下対称形状である。それゆえに第二実施形態では、下装着部５２を構成する下孔５ａは、その上部（下翼板２３の外周のうち後部以外を覆う部分及び下側の一対のフランジ２５、２５の幅方向の外側を覆う部分）だけでなく、その下部においても塞がれることなく後方に開口している。したがって第二実施形態では、第一実施形態の下桟部５６が存在しない。ただし第二実施形態では、下被覆部５４は、一対の下張出部５５、５５と、下翼板２３の下面の後端部の左右を覆う一対の下凸部５７、５７を備えている。一対の下凸部５７、５７は、後方に開口する一対の下脚部５３ａ、５３ａの下部の後部から幅方向内側に突出している。そして一対の下凸部５７、５７は、幅方向に離れている。したがって下板５は、上下方向に視て、下孔５ａを後方（分離方向）に開口する下開口部５８を備えている。そしてこの下開口部５８により、一対の下脚部５３ａ、５３ａと、その上側の一対の下外壁延長部７ｂ１、７ｂ１は、互いの後部においては幅方向に分離した状態になっている。
【００８２】  第二実施形態のスライダーカバー３は、たとえば合成樹脂製または金属製であり、その樹脂又は金属の弾性を有する。そして一対の上脚部４３ａ、４３ａと、一対の下脚部５３ａ、５３ａは、上開口部４８及び下開口部５８を備えることから、樹脂又は金属の弾性により、外力が加わった場合に幅方向の間隔を広げ、外力を除去した場合に元の形状に復元することができる。それゆえスライダーカバー３の後方からスライダー２を押し込むと、上開口部４８と下開口部５８の幅が一時的に広がって、一対の上脚部４３ａ、４３ａの間及び一対の下脚部５３ａ、５３ａの間にスライダー２が差し込まれる。また復元力によって上開口部４８の幅が元通りになり、窪み部２２ａにおいて、上翼板２２を一対の上脚部４３ａ、４３ａの間に挟み、一対の上脚部４３ａ、４３ａの下側では、一対の上外壁延長部７ａ１、７ａ１が、その間に上側の一対のフランジ２５、２５を挟む。同様に復元力によって下開口部５８の幅が元通りになり、窪み部２３ａにおいて、下翼板２３を一対の下脚部５３ａ、５３ａの間に挟み、一対の下脚部５３ａ、５３ａの下側では、一対の下外壁延長部７ｂ１、７ｂ１が、その間に下側の一対のフランジ２５、２５を挟む。したがって一対の上脚部４３ａ、４３ａは、互いの間に上翼板２２をスナップ式に装着する弾性を有し、一対の下脚部５３ａ、５３ａは、互いの間に下翼板２３をスナップ式に装着する弾性を有することになる。同様に、一対の上外壁延長部７ａ１、７ａ１、及び一対の下外壁延長部７ｂ１、７ｂ１は、上側及び下側の一対のフランジ２５、２５をスナップ式に装着する弾性を有することになる。また装着されたスライダー２をスライダーカバー３に対して後方に移動させると、弾性により一対の上脚部４３ａ、４３ａ及び一対の下脚部５３ａ、５３ａの幅が一時的に広がって、スライダーカバー３が外れる。
【００８３】  本発明は上記実施形態に限定されるものではなく、その趣旨を逸脱しない範囲において適宜変更可能である。例えば前記実施形態では、連結部６４の前側には第１の溝部６２ｄと第１の突部６２ｃとを備え、連結部６４の後側には第２の溝部６３ｄと第２の突部６３ｃとを備えているが、本発明はこれに限らず、第１の溝部６２ｄと第１の突部６２ｃが無いもの、或いは第２の溝部６３ｄと第２の突部６３ｃが無いものであっても良い。  また前記実施形態では、一対の外壁部７、７を、一対の上外壁部７ａ、７ａと、一対の下外壁部７ｂ、７ｂとによって構成していたが、本発明はこれに限らず、一対の上外壁部７ａ、７ａと、一対の下外壁部７ｂ、７ｂとのうち一方のみで構成するものであっても良い。
【００８４】  また前記実施形態では、上装着部４２（上包囲部４３）は、上外壁延長部７ａ１を備えるものであったが、本発明はこれに限らず、上外壁延長部７ａ１を備えないものであっても良い。この場合、上側の一対のフランジ２５、２５は覆われないことになり、上装着部４２は、上板４のみで構成される。同様に、前記実施形態では、下装着部５２（下包囲部５３）は、下外壁延長部７ｂ１を備えるものであったが、本発明はこれに限らず、下外壁延長部７ｂ１を備えないものであっても良い。
【符号の説明】
【００８５】  Ｆ  スライドファスナー  １  ファスナーストリンガー  １１  テープ  １２  エレメント列  １２ａ  噛合部  １２ｂ  コイル反転部  １３  エレメント  ２  スライダー  ２ａ  エレメント案内通路（第１のエレメント案内通路）  ２ｂ  肩口（開口）  ２ｃ  後口（開口）  ２ｄ  テープ溝  ２１  スライダー胴体  ２２  上翼板  ２２ａ  窪み部  ２３  下翼板  ２３ａ  窪み部  ２４  案内柱  ２５  フランジ  ２６  上側の引手取付部  ２６ａ  突出部  ２６ｂ  屈曲部  ２６ｈ  貫通穴  ２７  下側の引手取付部  ２７ａ  突出部  ２７ｂ  屈曲部  ２７ｈ  貫通穴  ２９  引手  ３  スライダーカバー  ３ａ  上部材  ３ｂ  下部材  ３ｃ  エレメント案内通路（第２のエレメント案内通路）  ３ｄ  装着部  ３ｅ  凹面  ４  上板  ４ａ  上孔  ４０  上接合部  ４１  上案内部  ４２  上装着部  ４３  上包囲部  ４３ａ  上脚部  ４４  上被覆部  ４５  上張出部  ４６  上桟部  ４７  上凸部  ４８  上開口部  ５  下板  ５ａ  下孔  ５０  下接合部  ５１  下案内部  ５２  下装着部  ５３  下包囲部  ５３ａ  下脚部  ５４  下被覆部  ５５  下張出部  ５６  下桟部  ５７  下凸部  ５８  下開口部  ６  連結柱  ６ａ  上柱  ６ｂ  下柱  ６１  内壁部  ６１ａ  上内壁部  ６１ｂ  下内壁部  ６１ｂ１  第１の直線部  ６１ｂ２  第２の直線部  ６１ｂ３  曲線部  ６２  前壁部（凹壁部）  ６２ａ  上凹壁部  ６２ａ１  上凹壁本体  ６２ｂ  下凹壁部  ６２ｂ１  下凹壁本体  ６２ｃ  第１の突部  ６２ｄ  第１の溝部  ６３  後壁部  ６３ａ  上後壁部  ６３ａ１  上後壁本体  ６３ｂ  下後壁部  ６３ｂ１  下後壁本体  ６３ｃ  第２の突部  ６３ｄ  第２の溝部  ６４  連結部  ６５  上連結部  ６５ａ  連結孔  ６５ｂ  係止片  ６６  下連結部  ６６ａ  ベース  ６６ｂ  係止柱  ６６ｃ  被係止片  Ｗ１  外壁部と内壁部の間隔  Ｗ２  凹面の幅方向の寸法  ７  外壁部  ７ａ  上外壁部  ７ａ１  上外壁延長部  ７ｂ  下外壁部  ７ｂ１  下外壁延長部  ８  第１の止具  ９  第２の止具  ９ａ  蝶棒  ９ｂ  箱
【図１】
2016035125.tif 000003
【図２】
2016035125.tif 000004
【図３】
2016035125.tif 000005
【図４】
2016035125.tif 000006
【図５】
2016035125.tif 000007
【図６】
2016035125.tif 000008
【図７】
2016035125.tif 000009
【図８】
2016035125.tif 000010
【図９】
2016035125.tif 000011
【図１０】
2016035125.tif 000012
【図１１】
2016035125.tif 000013
【図１２】
2016035125.tif 000014
【図１３】
2016035125.tif 000015
【図１４】
2016035125.tif 000016
【図１５】
2016035125.tif 000017
【国際調査報告】
2016035125.tif 000018
2016035125.tif 000019
2016035125.tif 000020
2016035125.tif 000021